(57)【要約】【課題】  机上に放置されたＡＣアダプタのコネクタ部の移動、落下を防ぐとともに、機器本体への抜き差し作業を容易にすることを目的とする。【解決手段】  ＡＣアダプタのケーブル部１０２先端に設けられた電子機器と接続するためのコネクタ部１００に取り付けるアタッチメント１であって、コネクタ部１００に取り付けられ卓上に置かれたこのアタッチメント１と卓上面との間に所定の摩擦力を生じさせる手段を備えるものである。【選択図】        図１  
2005142030.tif 000002
【特許請求の範囲】
【請求項１】
ＡＣアダプタのケーブル部先端に設けられた電子機器と接続するためのコネクタ部に取り付けるアタッチメントであって、
コネクタ部に取り付けられ卓上に置かれた前記アタッチメントと卓上面との間に所定の摩擦力を生じさせる手段を備える
ことを特徴とするアタッチメント。
【請求項２】
前記所定の摩擦力を生じさせる手段は、前記アタッチメントの自重及び／又は前記アタッチメントの前記卓上面との接触面に用いられた滑り防止機能を有する材料からなる
ことを特徴とする請求項１記載のアタッチメント。
【請求項３】
前記コネクタ部を着脱可能に構成されている
ことを特徴とする請求項１又は２記載のアタッチメント。
【請求項４】
前記コネクタ部と一体成型されている
ことを特徴とする請求項１又は２記載のアタッチメント。
【請求項５】
前記アタッチメントは、筐体から突出し指で挟むことができる、あるいは指を引っ掛けることができる部分を備える
ことを特徴とする請求項１、２、３又は４記載のアタッチメント。
【請求項６】
前記アタッチメントは、アタッチメント本体より突出する２つの突起部の間に形成される開口部を備える
ことを特徴とする請求項１、２、３、４又は５記載のアタッチメント。
【請求項７】
電子機器と接続するケーブル部先端のコネクタ部にアタッチメントが取り付けられたＡＣアダプタであって、
コネクタ部に取り付けられ卓上に置かれた前記アタッチメントと卓上面との間に所定の摩擦力を生じさせる手段を備える
ことを特徴とするＡＣアダプタ。
【請求項８】
前記アタッチメントの前記所定の摩擦力を生じさせる手段は、前記アタッチメントの自重及び／又は前記アタッチメントの前記卓上面との接触面に用いられた滑り防止機能を有する材料からなる
ことを特徴とする請求項７記載のＡＣアダプタ。
【請求項９】
前記アタッチメントは前記コネクタ部を着脱可能に構成されている
ことを特徴とする請求項７又は８記載のＡＣアダプタ。
【請求項１０】
前記アタッチメントと前記コネクタ部が一体成型されている
ことを特徴とする請求項７又は８記載のＡＣアダプタ。
【請求項１１】
前記アタッチメントは、筐体から突出し指で挟むことができる、あるいは指を引っ掛けることができる部分を備える
ことを特徴とする請求項７、８、９又は１０記載のＡＣアダプタ。
【請求項１２】
前記アタッチメントは、アタッチメント本体より突出する２つの突起部の間に形成される開口部を備える
ことを特徴とする請求項７、８、９、１０又は１１記載のＡＣアダプタ。
【発明の詳細な説明】
【技術分野】
【０００１】
本発明は、ＡＣアダプタのケーブル先端のコネクタ部に取り付けるアタッチメント及びアタッチメントを使用したＡＣアダプタに関する。
【背景技術】
【０００２】
従来、電子機器等に商用電源を供給するのに使用されているＡＣアダプタのケーブル先端のコネクタ部は、電子機器本体（以下、本体とも称する。）側に設けられたＤＣ−ＩＮ端子の穴に挿入するつまみの形状になっている。例えば、特許文献１にはストレート形状のコネクタ部を持つＡＣアダプタが記載されている。
【０００３】
また、図１０にＡＣアダプタのＬ字型のコネクタ部の例を示す。この図１０において、１００はコネクタ部、１０１は端子部及び１０２はケーブル部であり、１０３は柔軟性を持ち所定範囲可動するフレキシブル部である。
【特許文献１】特開平１０−９１２８１号公報（図９）
【発明の開示】
【発明が解決しようとする課題】
【０００４】
コネクタ部の本体への抜き差しを行うときは、つまみ状の部分（例えばコネクタ部１００）を指で掴んで本体への抜き差しを行うが、それほど太くできていないので掴みにくく、その部分を持って行う抜き差し作業は煩雑である。また、本体を携帯するために日常的に充電が必要な機器である場合、抜き差し頻度が増すので、より簡単に抜き差しが行える形状が求められている。
【０００５】
加えて、本体を持ち歩いているとき、本体から抜かれた状態のＡＣアダプタのコネクタ部は、剥き出しの状態で机上に放置されることとなる。
【０００６】
図１１は、机の上にコネクタ部が放置された状態を示すものである。図より理解されるように、放置されたコネクタ部１００は中途半端な状態で見苦しく感じられる。同時に、ケーブル部１０２の自重によってコネクタ部１００が（矢印方向に）引っ張られ、机２００の裏等に落下しやすく、不安定な状態にあるという問題があった。
【０００７】
斯かる点に鑑み、本発明は、机上に放置されたＡＣアダプタのコネクタ部の移動、落下を防ぐとともに、機器本体への抜き差し作業を容易にすることを目的とする。
【課題を解決するための手段】
【０００８】
上記課題を解決し、目的を達成するため、本発明は、ＡＣアダプタのケーブル部先端に設けられた電子機器と接続するためのコネクタ部に取り付けるアタッチメントであって、コネクタ部に取り付けられ卓上に置かれたこのアタッチメントと卓上面との間に所定の摩擦力を生じさせる手段を備えることを特徴とする。
【０００９】
斯かる本発明によれば、アタッチメントが取り付けられたコネクタ部を机上に置いたときにケーブル部の自重によって引っ張られたとしても、所定の摩擦力が働き、その置いた場所からのコネクタ部の移動、落下を防ぐことができる。
【００１０】
また本発明において、上述所定の摩擦力を生じさせる手段は、上述アタッチメントの自重及び／又はアタッチメントの卓上面との接触面に用いられた滑り防止機能を有する材料からなることを特徴とする。
【００１１】
斯かる本発明によれば、簡単な構成でアタッチメントの卓上面での滑りを防止することができる。
【００１２】
また本発明において、上述アタッチメントはコネクタ部を着脱可能に構成されていることを特徴とする。
【００１３】
斯かる本発明によれば、ＡＣアダプタのコネクタ部に取り付けたアタッチメントを自由に脱着することができるので、例えば電子機器の使用形態に応じてアタッチメントの着脱を選択することができる。
【００１４】
また本発明において、上述アタッチメントとコネクタ部を一体成型することを特徴とする。
【００１５】
斯かる本発明によれば、例えば購入したアタッチメントをコネクタ部へ取り付ける作業が不要であり、アタッチメント一体型のコネクタ部を机上に置いたときにケーブル部に引っ張られることもなく、その置いた場所からのコネクタ部の移動、落下を防ぐことができる。
【００１６】
また本発明において、上述アタッチメントは、筐体から突出し指で挟むことができる、あるいは指を引っ掛けることができる部分を備えることを特徴とする。
【００１７】
斯かる本発明によれば、アタッチメント本体に指で掴める部分、あるいは指を引っ掛けられる部分を設けることで、アタッチメントの取り扱いを容易にすることができる。
【００１８】
また本発明において、上述アタッチメントは突出する２つの突起部の間に形成される開口部を備えることを特徴とする。
【００１９】
斯かる本発明によれば、電子機器への抜き差しの際に開口部両端の突起部がガイドの役割をし、アタッチメントと電子機器との抜き差し作業を容易に行うことができる。
【発明の効果】
【００２０】
本発明によれば、アタッチメントが取り付けられたコネクタ部を机上に置いたときにケーブル部の自重によって引っ張られたとしても、アタッチメントと卓上面との間に所定の摩擦力を生じさせるように構成しているので、その置いた場所からの移動、落下を防ぐことができ、机から落ちて見失うことがない。
【００２１】
また、ＡＣアダプタのコネクタ部に取り付けたアタッチメントを自由に脱着することができるようにした場合、電子機器のさまざまな使用形態や他機器との接続に対応することができる。さらに、利用者の好みのデザインや形状に応じてアタッチメントを取り替えることもできる。
【００２２】
また、アタッチメントに指で掴める部分あるいは指を引っ掛けられる部分を設けたり、ガイド機能を持たせた突起部を設けるなどすることにより、アタッチメントの取り扱い及びアタッチメント開口部と電子機器本体の対応する部位との抜き差し作業を容易に行うことができる。
【発明を実施するための最良の形態】
【００２３】
以下、図１〜図９を参照して、本発明のＡＣアダプタのコネクタ部に取り付けるアタッチメント及びこのアタッチメントを使用したＡＣアダプタの実施の形態の例について説明する。
【００２４】
図１に一実施の形態のアタッチメントの外観図を示す。本例のアタッチメントはＡＣアダプタのコネクタ部を挟み包むような形で取り付ける構造になっている。図１Ａはアタッチメント下部筐体に図１０にて示したＡＣアダプタのコネクタ部を配置した状態、図１Ｂは実際にＡＣアダプタのコネクタ部にアタッチメントを取り付けた状態を示す。
【００２５】
本例のアタッチメント１は、図２に後述するように上下筐体と下部筐体とから構成される。図１Ａにおいて、アタッチメント１の下部筐体１Ｌの後述するコネクタ部の形状に沿って設けたコネクタ部固定用の凹部にコネクタ部１００を配置し、ピンプラグ１０１、フレキシブル部１０３及びそれに続くケーブル１０２はアタッチメント筐体の外に出すように構成している。３Ｌはロック部を構成する下部ロック部材を表し、５はアタッチメント本体からピンプラグ１０１差し込み方向に突き出た突起部４ａ及び４ｂにより形成される開口部である。突起部４ａ及び４ｂは、後述する電子機器のＤＣ−ＩＮ端子への挿入時にガイドバーの役割をする。
【００２６】
図１Ｂは、アタッチメント１の上部筐体１Ｕ及び下部筐体１Ｌを上下からＬ字型コネクタ部１００を取り付け後の状態を示し、上部筐体１Ｕの１辺から突出する滑り止め用の複数の溝２ａが形成されたつまみ部２が設けられ、このつまみ部２をつまむことでアタッチメント１を取り扱いやすいようになされている。このつまみ部は上部筐体１Ｕの表面１ａなど所望の場所に設けることができる。
【００２７】
フレキシブル部１０３がアタッチメント１の外部に出ているので、ケーブル１０２をコネクタ部１００の根元のフレキシブル部１０３から柔軟に動かすことが可能であり、アタッチメント１の取り付け前と同様にケーブル１０２をコネクタ部１００の付け根に生じる応力から保護することができる。
【００２８】
アタッチメント１の上部筐体１Ｕの表面１ａは比較的広いので、所望のデザインを描くことができ、アタッチメント全体のデザイン性の向上や美観の喚起を促すことができる。また、表面１ａの領域を宣伝用として利用することもできる。
【００２９】
本例のアタッチメント１を取り付けるコネクタ部形状をＬ字型としたが、勿論その他の形状のコネクタ部に適用することができる。
【００３０】
図２は上部筐体１Ｕと下部筐体１Ｌを開いた状態のときにピンプラグ１０１差し込み方向から見たアタッチメント１の側面図である。開閉機構を備えるヒンジ部６により上部筐体１Ｕと下部筐体１Ｌが開閉可能に接続されている。上下筐体内部にはそれぞれコネクタ部１００の形状に合わせた凹部７Ｕ及び７Ｌが設けられ、コネクタ部１００を配置して上下筐体１Ｕ及び１Ｌを閉じたときに、凹部７Ｕ及び７Ｌにより適度にコネクタ部１００を押さえつけ、コネクタ部１００がアタッチメント内部で固定されるよう設計されている。ロック部３の上部部材３Ｕ及び下部部材３Ｌは、上下筐体を閉じたときに、相互に咬合して固定され所定の操作以外の衝撃等によっては上下筐体が開かないものであればこれに限るものではない。
【００３１】
本例のアタッチメント１は、例えば耐衝撃性に優れたＡＢＳ（アクリロニトリル（Ａ)ブタジエン（Ｂ)スチレン（Ｓ））樹脂等のプラスチック、あるいは卓上面での滑りを防止するためにゴムなどを用いて成形する。このとき、錘を入れるなどしてアタッチメント１自体にある程度の自重を持たせるようにすると、卓上に放置したときに卓上面との間に生じる摩擦力が大きくなりケーブル自重による移動、落下を抑制することができる。この摩擦力は少なくともケーブル自重により引っ張られる張力以上あればよい。
【００３２】
図３は、図１Ｂのアタッチメント１の上部筐体１Ｕと下部筐体１Ｌを開いた状態のI−I断面図を示す。例えば、アタッチメント１をプラスチックを用いて形成した場合には、上部筐体１Ｕの凹部７Ｕ及び下部筐体１Ｌの凹部７Ｌ上の内部全面、もしくはコネクタ部１００と面接触する部分にゴムなどの弾性材料からなる中敷部材８を設け、コネクタ部１００がアタッチメント１筐体内部で動くのを抑えるようにしてもよい。
【００３３】
図４を参照して本例のアタッチメント１の電子機器に対する使用例を説明する。図４Ａにおいて、５０は携帯可能な電子機器の一例を示し、例えば５０ａはディスプレイ、５０Ｌ及び５０Ｒはそれぞれ左右のスピーカを表す。また、この電子機器５０はスタンド５１により所定の角度に支持されているとともに、スタンド５０の側面部５１ａにはＡＣアダプタ経由で商用電源を入力するためのＤＣ−ＩＮ端子５２が設けられている。
【００３４】
なお、電子機器は上述例に限らず、ＡＣアダプタ経由での電源供給による機器の使用あるいは充電が可能であるととともに、携帯して使用可能なものであればよい。
【００３５】
図４Ｂに示すように、ＡＣアダプタのコネクタ部１００に取り付けたアタッチメント１を矢印方向から電子機器５０のＤＣ−ＩＮ端子５２に差し込む。このとき、アタッチメント１のピンプラグ１０１（図１Ｂ）が突出している開口部５とスタンド５０の側面部５１ａを嵌合する如くして、アタッチメント１のピンプラグ１０１をＤＣ−ＩＮ端子５２に差し込む。突起部４ａ及び４ｂが開口部５の間にあるピンプラグ１０１を誘導するので、ピンプラグ１０１がＤＣ−ＩＮ端子５２に自然に差し込まれる。電子機器５０からピンプラグ１０１を引き抜くときは、アタッチメント１のつまみ部２を指でつまんで引くことで簡単に抜くことができる。なお、スタンド５１側にガイドレールを設け（図示略）、スタンド５１の側面図５１ａをアタッチメント１の開口部５に容易に挿入しやすくし、ピンプラグ１０１がさらに自然に差し込まれるように構成してもよい。
【００３６】
図５は、電子機器から抜かれて机上に放置された状態のアタッチメント１を示すものである。本例のアタッチメント１は、ある程度の自重を持たせるか、あるいはゴムなどの滑りにくい材料で形成するようにし、アタッチメント１と机２００上等の卓上面との間でアタッチメント１が動かない程度の一定値以上の摩擦力を生じるようにしているので、ケーブル１０２の重さに引っ張られて動いたり机上から落ちたりすることがない。
【００３７】
また、アタッチメント１は剥き出しのコネクタ部とは異なり例えばパーソナルコンピュータで使用するマウスのような可愛さがあり、電子機器から抜かれて机上にただ転がっていても、それなりの形やデザイン性を持ったものに見え親しみがわく。
【００３８】
図６は、アタッチメント１の取り扱いの一例である。アタッチメント１にはつまみ部２が設けられているので、このつまみ部２を例えば親指７１と人差し指７２で挟むようにすることで、容易につまむことができアタッチメント１抜き差し時の作業の助けとすることができる。また、この図６の例のように、つまみ部２をつまみやすいようにやや上方に角度をつけて設置するとよい。
【００３９】
なお、下部筐体１Ｌの底部にゴムなどの滑りにくい材料からなるパッド９を設けることで、机上での移動や滑りを防止するようにしてもよい。
【００４０】
以上のような構成により、本例のアタッチメントが取り付けられたコネクタ部を机上に置いてケーブルの自重によって引っ張られたとしても、その置いた場所からの移動、落下を防ぐことができる。また、例えばガイド機能を持つ突起部を設けたことにより、アタッチメントと機器本体との抜き差しを容易に行える。また、ＡＣアダプタのコネクタ部に取り付けたアタッチメントを自由に脱着することができるので、例えば電子機器の使用形態に応じてアタッチメントの着脱を選択することができる。
【００４１】
次に、図７を参照してアタッチメント１を使用したＡＣアダプタの使用形態を説明する。コンセント１０６に接続された電源プラグ１０５からＡＣアダプタ１０４経由で供給される商用電源により電子機器５０を駆動するとき（いわゆるＡＣ使用のとき）、又は、例えばスタンド５１と一体構成とされたバッテリー部５４に充電するときは、アタッチメント１のつまみ部２を指でつまみ上げ、ピンプラグ１０１を電子機器５０のＤＣ−ＩＮ端子５２に差し込む。また、電子機器５０を他の場所へ持ち歩くとき（いわゆるバッテリー使用のとき）は、つまみ部２を指で挟んで引き抜く。そのまま指を離せば、その場所にしっかり置かれた状態で止まっているので、戻ってきたときにコネクタ部を探したり、床から拾い上げたりする必要がない。
【００４２】
なお、携帯型の電子機器の多くが充電用クレードル５５を持っていることが多いが、例えば、持ち歩いて使用する予定がしばらくなくクレードル５５に電子機器５０を立て掛け使用する場合、本例のアタッチメント１はコネクタ部の脱着が可能であるために、アタッチメント１を外し剥き出しのコネクタ部１００を直接つまんでＤＣ−ＩＮ端子５６に差し込むといった使用方法も可能である。
【００４３】
このように、本例のコネクタ部にアタッチメントを使用したＡＣアダプタは、コネクタ部に取り付けたアタッチメントを脱着することで、電子機器のさまざまな使用形態や多機器との接続に対応することができる。また、例えば携帯電話機の多くが持っているような充電用専用クレードルがなくても、快適、簡便にＡＣ使用や充電が行えるのみならず、持ち歩いている（接続機器を卓上に置いていない）でも、クレードルのように大きな場所をとらないので部屋や机上をすっきりさせておくことができ、コネクタ部が動いたり机から落ちて見失うこともない。
【００４４】
図８に本発明の他の実施の形態のアタッチメントを示す。この図８におけるアタッチメント１１内部には、例えば図１及び図２に述べたような方法によりストレート型のコネクタ部（図示略）が内蔵されている。コネクタ部以外のピンプラグ１０１、フレキシブル部１０３及びそれに続くケーブル１０２がアタッチメント筐体の外側に出ている。アタッチメント１１は、図１に記載のようなガイドバーとしての機能を持つ突起部が存在せず、アタッチメント１１から突出したピンプラグ１０１をそのままＤＣ−ＩＮ端子５３に差し込むことができる。勿論、本例のアタッチメント１１を図１の例のＬ字型やその他の形状のコネクタ部に取り付けることは可能である。
【００４５】
また、アタッチメント１１は、２つのつまみ部１２ａ及び１２ｂを設けているので、指でつまむことができる部分が増え、アタッチメント１１を取り扱いやすくなっている。また、例えば２つのつまみ部１２ａ及び１２ｂを耳としピンプラグ１０１を鼻もしくは口とすると象やねずみにも見え、可愛さ、愛嬌が感じられる。さらに、例えばアタッチメント１１の表面に独自のデザインを施すことにより、親しみが感じられデザイン性や美観が向上する。
【００４６】
上述した本例によれば、アタッチメントに突出部（ガイドバー）を設けないので、例えば図８のＤＣ−ＩＮ端子５３のような平面部に配置された端子にも対応することができる。
【００４７】
図９は、本発明のさらに他の実施の形態のアタッチメントの側面図を示すものである。本例のアタッチメント２１は、両側面に曲面を有する上部筐体２１Ｕ及び下部筐体２１Ｌから構成されている。上部筐体２１Ｕ及び下部筐体２１Ｌを閉じると、上下筐体により側面部に円筒面の一部の如き曲面からなる凹部２２ａ及び２２ｂが形成される。下部筐体２１Ｌの両側面の凹部２２ａ及び２２ｂを片手で掴んで押さえ、もう一方の手で上部筐体側２１Ｕの両側面を指で矢印方向に挟みつつ凹部２２ａ及び２２ｂにより相対的に形成された凸部２２ａ１及び２２ｂ１に指を掛けつつ矢印方向に持ち上げると、ロック部材２３ａ及び２３ｂが内側に動き、アタッチメント２１のロックが外れ上下筐体を開けることができ、コネクタ部を取り外しできる。また、アタッチメント２１を持ち運ぶときは、例えば断面凹状の両側面を掴むようにすると簡単に持ち運びができる。
【００４８】
両側面に設けられたロック部材２３ａ及び２３ｂは、上下筐体を閉じたときに咬合して固定され、所定の操作以外の衝撃等によっては上下筐体が開かないものであればこれに限るものではない。
【００４９】
上述図９の例によれば、例えばアタッチメント側面部に円筒面の一部のような曲面部からなる凹部２２ａ及び２２ｂを設けることで相対的に凸部２２ａ１及び２２ｂ１が形成され、側面部よりアタッチメント全体を挟んで掴みやすくするとともに、上下筐体を開けるときには凸部に２２ａ１及び２２ｂ１に指を引っ掛けるようにして上部筐体２１Ｕを持ち上げ容易に外すことができる。
【００５０】
なお、上述したこれらの実施の形態の例においては、コネクタ部に対しアタッチメントを着脱可能な構成としたが、コネクタ部とアタッチメントを一体成型としてもよい。この場合、利用者はアタッチメント取り付け作業が不要であり、コネクタ部と一体成型されたアタッチメントにある程度の自重を持たせたりゴム等を用いた滑り防止機能を施すことで、電子機器本体からＡＣアダプタのケーブルを外した際に卓上に放置されたアタッチメント一体成型のコネクタ部が卓上を移動したり、卓上から落ちて紛失するようなことがない。
【００５１】
また、本発明は上述した実施の形態の例に限られるものではなく、本発明の要旨を逸脱することなくその他種々の構成を取り得ることは勿論である。
【図面の簡単な説明】
【００５２】
【図１】本発明の一実施の形態のアタッチメントの説明に供する図である。
【図２】本発明の一実施の形態のアタッチメント本体を開いた状態の側面図である。
【図３】図１のアタッチメントのI−I断面図である。
【図４】本発明の一実施の形態のアタッチメントの使用例の説明に供する図である。
【図５】本発明の一実施の形態のアタッチメントを机上に放置した状態を示す図である。
【図６】本発明の一実施の形態のアタッチメントの取り扱いの説明に供する図である。
【図７】本発明の一実施の形態のＡＣアアダプタの使用形態の説明に供する図である。
【図８】本発明の他の実施の形態のアタッチメントの説明に供する図である。
【図９】本発明のさらに他の実施の形態のアタッチメントの説明に供する図である。
【図１０】既存ＡＣアダプタのコネクタ部の例を示す図である。
【図１１】既存ＡＣアダプタのコネクタ部を机上に放置した状態を示す図である。
【符号の説明】
【００５３】
１，１１，２１…アタッチメント、１ａ…アタッチメント表面、１Ｕ，２１Ｕ…上部筐体、１Ｌ，２１Ｌ…下部筐体、２，１２ａ，１２ｂ…つまみ部、２ａ…滑り止め用溝、３…ロック部、３Ｕ…上部ロック部材、３Ｌ…下部ロック部材、４ａ，４ｂ…突起部、５…開口部、６…ヒンジ部、７Ｕ，７Ｌ…凹部、８…中敷部材、９…パッド、２２ａ，２２ｂ…凹部、２２ａ１,２２ｂ１…凸部、２３ａ，２３ｂ…ロック部材、５０…電子機器、５０ａ…ディスプレイ、５０Ｌ，５０Ｒ…スピーカ、５１…スタンド、５１…側面部、５２，５３，５６…ＤＣ−ＩＮ端子、５４…バッテリー、５５…クレードル、１００…コネクタ部（Ｌ字）、１０１…ピンプラグ、１０２…ケーブル、１０３…フレキシブル部、１０４…ＡＣアダプタ本体、１０５…電源プラグ、１０６…コンセント、２００…机
【図１】
2005142030.tif 000003
【図２】
2005142030.tif 000004
【図３】
2005142030.tif 000005
【図４】
2005142030.tif 000006
【図５】
2005142030.tif 000007
【図６】
2005142030.tif 000008
【図７】
2005142030.tif 000009
【図８】
2005142030.tif 000010
【図９】
2005142030.tif 000011
【図１０】
2005142030.tif 000012
【図１１】
2005142030.tif 000013